(57)【特許請求の範囲】
【請求項１】
互いに異なるレベルの二種類の雑音を出力するノイズソースと、
複数のノイズソース側端子と、
入力信号の電力を測定する電力測定器と、
複数の測定器側端子と、
を有し、
前記ノイズソース側端子のうちのいずれか一つが、前記ノイズソースの出力する前記雑音を受け、
前記入力信号が、前記測定器側端子のうちのいずれか一つを介して、前記電力測定器に与えられ、
前記測定器側端子のうちの一つである所定測定器側端子を前記電力測定器に接続したものの雑音指数である第一雑音指数と、前記測定器側端子のうちの前記所定測定器側端子以外の端子を前記電力測定器に接続したものの雑音指数である第二雑音指数との差を測定器側端子間差分という送受信器
における前記ノイズソースを前記ノイズソース側端子の各々に接続したものの過剰雑音比を導出する過剰雑音比導出装置であって、
過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記第一雑音指数を導出する第一雑音指数導出部と、
前記測定器側端子間差分と、前記第一雑音指数とに基づき、前記第二雑音指数を導出する第二雑音指数導出部と、
前記ノイズソース側端子の各々と前記測定器側端子の各々とを接続したときの、前記ノイズソースの出力する前記二種類の雑音が、前記入力信号として前記電力測定器に与えられるときの、前記二種類の雑音の電力を前記電力測定器が測定したものの比と、前記第一雑音指数および前記第二雑音指数とに基づき、前記ノイズソースを前記ノイズソース側端子の各々に接続したものの過剰雑音比を導出するノイズソース過剰雑音比導出部と、
を備えた過剰雑音比導出装置。
【請求項２】
互いに異なるレベルの二種類の雑音を出力するノイズソースと、
複数のノイズソース側端子と、
入力信号の電力を測定する電力測定器と、
一つ以上の測定器側端子と、
を有し、
前記ノイズソース側端子のうちのいずれか一つが、前記ノイズソースの出力する前記雑音を受け、
前記入力信号が、前記測定器側端子のうちの一つである所定測定器側端子を介して、前記電力測定器に与えられ、
前記ノイズソース側端子のうちの一つである所定ノイズソース側端子を前記ノイズソースに接続したものの過剰雑音比である第一過剰雑音比と、前記ノイズソース側端子のうちの前記所定ノイズソース側端子以外の端子を前記ノイズソースに接続したものの過剰雑音比である第二過剰雑音比との差をノイズソース側端子間差分という送受信器
における前記ノイズソースを前記ノイズソース側端子の各々に接続したものの過剰雑音比を導出する過剰雑音比導出装置であって、
過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記所定測定器側端子を前記電力測定器に接続したものの雑音指数である第一雑音指数を導出する第一雑音指数導出部と、
前記所定ノイズソース側端子と前記所定測定器側端子とを接続したときの、前記ノイズソースの出力する前記二種類の雑音が、前記入力信号として前記電力測定器に与えられるときの、前記二種類の雑音の電力を前記電力測定器が測定したものの比と、前記第一雑音指数とに基づき、前記第一過剰雑音比を導出する第一過剰雑音比導出部と、
前記ノイズソース側端子間差分と、前記第一過剰雑音比とに基づき、前記第二過剰雑音比を導出する第二過剰雑音比導出部と、
を備えた過剰雑音比導出装置。
【請求項３】
入力信号の電力を測定する電力測定器と、
複数の測定器側端子と、
を有し、
前記入力信号が、前記測定器側端子のうちのいずれか一つを介して、前記電力測定器に与えられ、
前記測定器側端子のうちの一つである所定測定器側端子を前記電力測定器に接続したものの雑音指数である第一雑音指数と、前記測定器側端子のうちの前記所定測定器側端子以外の端子を前記電力測定器に接続したものの雑音指数である第二雑音指数との差を測定器側端子間差分という受信器
における前記第一雑音指数および前記第二雑音指数を導出する雑音指数導出装置であって、
過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記第一雑音指数を導出する第一雑音指数導出部と、
前記測定器側端子間差分と、前記第一雑音指数とに基づき、前記第二雑音指数を導出する第二雑音指数導出部と、
を備えた雑音指数導出装置。
【請求項４】
互いに異なるレベルの二種類の雑音を出力するノイズソースと、
複数のノイズソース側端子と、
入力信号の電力を測定する電力測定器と、
複数の測定器側端子と、
を有し、
前記ノイズソース側端子のうちのいずれか一つが、前記ノイズソースの出力する前記雑音を受け、
前記入力信号が、前記測定器側端子のうちのいずれか一つを介して、前記電力測定器に与えられ、
前記測定器側端子のうちの一つである所定測定器側端子を前記電力測定器に接続したものの雑音指数である第一雑音指数と、前記測定器側端子のうちの前記所定測定器側端子以外の端子を前記電力測定器に接続したものの雑音指数である第二雑音指数との差を測定器側端子間差分という送受信器
における前記ノイズソースを前記ノイズソース側端子の各々に接続したものの過剰雑音比を導出する過剰雑音比導出方法であって、
過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記第一雑音指数を導出する第一雑音指数導出工程と、
前記測定器側端子間差分と、前記第一雑音指数とに基づき、前記第二雑音指数を導出する第二雑音指数導出工程と、
前記ノイズソース側端子の各々と前記測定器側端子の各々とを接続したときの、前記ノイズソースの出力する前記二種類の雑音が、前記入力信号として前記電力測定器に与えられるときの、前記二種類の雑音の電力を前記電力測定器が測定したものの比と、前記第一雑音指数および前記第二雑音指数とに基づき、前記ノイズソースを前記ノイズソース側端子の各々に接続したものの過剰雑音比を導出するノイズソース過剰雑音比導出工程と、
を備えた過剰雑音比導出方法。
【請求項５】
互いに異なるレベルの二種類の雑音を出力するノイズソースと、
複数のノイズソース側端子と、
入力信号の電力を測定する電力測定器と、
一つ以上の測定器側端子と、
を有し、
前記ノイズソース側端子のうちのいずれか一つが、前記ノイズソースの出力する前記雑音を受け、
前記入力信号が、前記測定器側端子のうちの一つである所定測定器側端子を介して、前記電力測定器に与えられ、
前記ノイズソース側端子のうちの一つである所定ノイズソース側端子を前記ノイズソースに接続したものの過剰雑音比である第一過剰雑音比と、前記ノイズソース側端子のうちの前記所定ノイズソース側端子以外の端子を前記ノイズソースに接続したものの過剰雑音比である第二過剰雑音比との差をノイズソース側端子間差分という送受信器
における前記ノイズソースを前記ノイズソース側端子の各々に接続したものの過剰雑音比を導出する過剰雑音比導出方法であって、
過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記所定測定器側端子を前記電力測定器に接続したものの雑音指数である第一雑音指数を導出する第一雑音指数導出工程と、
前記所定ノイズソース側端子と前記所定測定器側端子とを接続したときの、前記ノイズソースの出力する前記二種類の雑音が、前記入力信号として前記電力測定器に与えられるときの、前記二種類の雑音の電力を前記電力測定器が測定したものの比と、前記第一雑音指数とに基づき、前記第一過剰雑音比を導出する第一過剰雑音比導出工程と、
前記ノイズソース側端子間差分と、前記第一過剰雑音比とに基づき、前記第二過剰雑音比を導出する第二過剰雑音比導出工程と、
を備えた過剰雑音比導出方法。
【請求項６】
入力信号の電力を測定する電力測定器と、
複数の測定器側端子と、
を有し、
前記入力信号が、前記測定器側端子のうちのいずれか一つを介して、前記電力測定器に与えられ、
前記測定器側端子のうちの一つである所定測定器側端子を前記電力測定器に接続したものの雑音指数である第一雑音指数と、前記測定器側端子のうちの前記所定測定器側端子以外の端子を前記電力測定器に接続したものの雑音指数である第二雑音指数との差を測定器側端子間差分という受信器
における前記第一雑音指数および前記第二雑音指数を導出する雑音指数導出方法であって、
過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記第一雑音指数を導出する第一雑音指数導出工程と、
前記測定器側端子間差分と、前記第一雑音指数とに基づき、前記第二雑音指数を導出する第二雑音指数導出工程と、
を備えた雑音指数導出方法。
【請求項７】
互いに異なるレベルの二種類の雑音を出力するノイズソースと、
複数のノイズソース側端子と、
入力信号の電力を測定する電力測定器と、
複数の測定器側端子と、
を有し、
前記ノイズソース側端子のうちのいずれか一つが、前記ノイズソースの出力する前記雑音を受け、
前記入力信号が、前記測定器側端子のうちのいずれか一つを介して、前記電力測定器に与えられ、
前記測定器側端子のうちの一つである所定測定器側端子を前記電力測定器に接続したものの雑音指数である第一雑音指数と、前記測定器側端子のうちの前記所定測定器側端子以外の端子を前記電力測定器に接続したものの雑音指数である第二雑音指数との差を測定器側端子間差分という送受信器
における前記ノイズソースを前記ノイズソース側端子の各々に接続したものの過剰雑音比を導出する過剰雑音比導出処理をコンピュータに実行させるためのプログラムであって、
前記過剰雑音比導出処理は、
過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記第一雑音指数を導出する第一雑音指数導出工程と、
前記測定器側端子間差分と、前記第一雑音指数とに基づき、前記第二雑音指数を導出する第二雑音指数導出工程と、
前記ノイズソース側端子の各々と前記測定器側端子の各々とを接続したときの、前記ノイズソースの出力する前記二種類の雑音が、前記入力信号として前記電力測定器に与えられるときの、前記二種類の雑音の電力を前記電力測定器が測定したものの比と、前記第一雑音指数および前記第二雑音指数とに基づき、前記ノイズソースを前記ノイズソース側端子の各々に接続したものの過剰雑音比を導出するノイズソース過剰雑音比導出工程と、
を備えたプログラム。
【請求項８】
互いに異なるレベルの二種類の雑音を出力するノイズソースと、
複数のノイズソース側端子と、
入力信号の電力を測定する電力測定器と、
一つ以上の測定器側端子と、
を有し、
前記ノイズソース側端子のうちのいずれか一つが、前記ノイズソースの出力する前記雑音を受け、
前記入力信号が、前記測定器側端子のうちの一つである所定測定器側端子を介して、前記電力測定器に与えられ、
前記ノイズソース側端子のうちの一つである所定ノイズソース側端子を前記ノイズソースに接続したものの過剰雑音比である第一過剰雑音比と、前記ノイズソース側端子のうちの前記所定ノイズソース側端子以外の端子を前記ノイズソースに接続したものの過剰雑音比である第二過剰雑音比との差をノイズソース側端子間差分という送受信器
における前記ノイズソースを前記ノイズソース側端子の各々に接続したものの過剰雑音比を導出する過剰雑音比導出処理をコンピュータに実行させるためのプログラムであって、
前記過剰雑音比導出処理は、
過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記所定測定器側端子を前記電力測定器に接続したものの雑音指数である第一雑音指数を導出する第一雑音指数導出工程と、
前記所定ノイズソース側端子と前記所定測定器側端子とを接続したときの、前記ノイズソースの出力する前記二種類の雑音が、前記入力信号として前記電力測定器に与えられるときの、前記二種類の雑音の電力を前記電力測定器が測定したものの比と、前記第一雑音指数とに基づき、前記第一過剰雑音比を導出する第一過剰雑音比導出工程と、
前記ノイズソース側端子間差分と、前記第一過剰雑音比とに基づき、前記第二過剰雑音比を導出する第二過剰雑音比導出工程と、
を備えたプログラム。
【請求項９】
入力信号の電力を測定する電力測定器と、
複数の測定器側端子と、
を有し、
前記入力信号が、前記測定器側端子のうちのいずれか一つを介して、前記電力測定器に与えられ、
前記測定器側端子のうちの一つである所定測定器側端子を前記電力測定器に接続したものの雑音指数である第一雑音指数と、前記測定器側端子のうちの前記所定測定器側端子以外の端子を前記電力測定器に接続したものの雑音指数である第二雑音指数との差を測定器側端子間差分という受信器
における前記第一雑音指数および前記第二雑音指数を導出する雑音指数導出処理をコンピュータに実行させるためのプログラムであって、
前記雑音指数導出処理は、
過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記第一雑音指数を導出する第一雑音指数導出工程と、
前記測定器側端子間差分と、前記第一雑音指数とに基づき、前記第二雑音指数を導出する第二雑音指数導出工程と、
を備えたプログラム。
【請求項１０】
互いに異なるレベルの二種類の雑音を出力するノイズソースと、
複数のノイズソース側端子と、
入力信号の電力を測定する電力測定器と、
複数の測定器側端子と、
を有し、
前記ノイズソース側端子のうちのいずれか一つが、前記ノイズソースの出力する前記雑音を受け、
前記入力信号が、前記測定器側端子のうちのいずれか一つを介して、前記電力測定器に与えられ、
前記測定器側端子のうちの一つである所定測定器側端子を前記電力測定器に接続したものの雑音指数である第一雑音指数と、前記測定器側端子のうちの前記所定測定器側端子以外の端子を前記電力測定器に接続したものの雑音指数である第二雑音指数との差を測定器側端子間差分という送受信器
における前記ノイズソースを前記ノイズソース側端子の各々に接続したものの過剰雑音比を導出する過剰雑音比導出処理をコンピュータに実行させるためのプログラムを記録したコンピュータによって読み取り可能な記録媒体であって、
前記過剰雑音比導出処理は、
過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記第一雑音指数を導出する第一雑音指数導出工程と、
前記測定器側端子間差分と、前記第一雑音指数とに基づき、前記第二雑音指数を導出する第二雑音指数導出工程と、
前記ノイズソース側端子の各々と前記測定器側端子の各々とを接続したときの、前記ノイズソースの出力する前記二種類の雑音が、前記入力信号として前記電力測定器に与えられるときの、前記二種類の雑音の電力を前記電力測定器が測定したものの比と、前記第一雑音指数および前記第二雑音指数とに基づき、前記ノイズソースを前記ノイズソース側端子の各々に接続したものの過剰雑音比を導出するノイズソース過剰雑音比導出工程と、
を備えた記録媒体。
【請求項１１】
互いに異なるレベルの二種類の雑音を出力するノイズソースと、
複数のノイズソース側端子と、
入力信号の電力を測定する電力測定器と、
一つ以上の測定器側端子と、
を有し、
前記ノイズソース側端子のうちのいずれか一つが、前記ノイズソースの出力する前記雑音を受け、
前記入力信号が、前記測定器側端子のうちの一つである所定測定器側端子を介して、前記電力測定器に与えられ、
前記ノイズソース側端子のうちの一つである所定ノイズソース側端子を前記ノイズソースに接続したものの過剰雑音比である第一過剰雑音比と、前記ノイズソース側端子のうちの前記所定ノイズソース側端子以外の端子を前記ノイズソースに接続したものの過剰雑音比である第二過剰雑音比との差をノイズソース側端子間差分という送受信器
における前記ノイズソースを前記ノイズソース側端子の各々に接続したものの過剰雑音比を導出する過剰雑音比導出処理をコンピュータに実行させるためのプログラムを記録したコンピュータによって読み取り可能な記録媒体であって、
前記過剰雑音比導出処理は、
過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記所定測定器側端子を前記電力測定器に接続したものの雑音指数である第一雑音指数を導出する第一雑音指数導出工程と、
前記所定ノイズソース側端子と前記所定測定器側端子とを接続したときの、前記ノイズソースの出力する前記二種類の雑音が、前記入力信号として前記電力測定器に与えられるときの、前記二種類の雑音の電力を前記電力測定器が測定したものの比と、前記第一雑音指数とに基づき、前記第一過剰雑音比を導出する第一過剰雑音比導出工程と、
前記ノイズソース側端子間差分と、前記第一過剰雑音比とに基づき、前記第二過剰雑音比を導出する第二過剰雑音比導出工程と、
を備えた記録媒体。
【請求項１２】
入力信号の電力を測定する電力測定器と、
複数の測定器側端子と、
を有し、
前記入力信号が、前記測定器側端子のうちのいずれか一つを介して、前記電力測定器に与えられ、
前記測定器側端子のうちの一つである所定測定器側端子を前記電力測定器に接続したものの雑音指数である第一雑音指数と、前記測定器側端子のうちの前記所定測定器側端子以外の端子を前記電力測定器に接続したものの雑音指数である第二雑音指数との差を測定器側端子間差分という受信器
における前記第一雑音指数および前記第二雑音指数を導出する雑音指数導出処理をコンピュータに実行させるためのプログラムを記録したコンピュータによって読み取り可能な記録媒体であって、
前記雑音指数導出処理は、
過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記第一雑音指数を導出する第一雑音指数導出工程と、
前記測定器側端子間差分と、前記第一雑音指数とに基づき、前記第二雑音指数を導出する第二雑音指数導出工程と、
を備えた記録媒体。
【発明の詳細な説明】
【技術分野】
【０００１】
本発明は、ノイズソースの過剰雑音比（ＥＮＲ）およびレシーバの雑音指数（ＮＦ）の測定に関する。
【背景技術】
【０００２】
従来より、ノイズソース（雑音源）を被測定物（ＤＵＴ：Device Under Test）に接続して、雑音指数（Noise
Figure）を測定することが知られている（例えば、特許文献１を参照）。
【０００３】
【特許文献１】特開平８−７５８０８号公報
【発明の開示】
【発明が解決しようとする課題】
【０００４】
ここで、ノイズソースを被測定物に接続して被測定物を測定する際には、ノイズソースの過剰雑音比（ＥＮＲ）の正確な値が既知である必要がある。また、レシーバの雑音指数を正確に求めることも望まれている。
【０００５】
そこで、本発明は、ノイズソース（雑音源）の過剰雑音比（ＥＮＲ）の値を正確に求めることを課題とする。
【０００６】
または、本発明は、レシーバ（受信器）の雑音指数（ＮＦ）の値を正確に求めることを課題とする。
【課題を解決するための手段】
【０００７】
本発明にかかる過剰雑音比導出装置は、互いに異なるレベルの二種類の雑音を出力するノイズソースと、複数のノイズソース側端子と、入力信号の電力を測定する電力測定器と、複数の測定器側端子と、を有し、前記ノイズソース側端子のうちのいずれか一つが、前記ノイズソースの出力する前記雑音を受け、前記入力信号が、前記測定器側端子のうちのいずれか一つを介して、前記電力測定器に与えられ、前記測定器側端子のうちの一つである所定測定器側端子を前記電力測定器に接続したものの雑音指数である第一雑音指数と、前記測定器側端子のうちの前記所定測定器側端子以外の端子を前記電力測定器に接続したものの雑音指数である第二雑音指数との差を測定器側端子間差分という送受信器における前記ノイズソースを前記ノイズソース側端子の各々に接続したものの過剰雑音比を導出する過剰雑音比導出装置であって、過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記第一雑音指数を導出する第一雑音指数導出部と、前記測定器側端子間差分と、前記第一雑音指数とに基づき、前記第二雑音指数を導出する第二雑音指数導出部と、前記ノイズソース側端子の各々と前記測定器側端子の各々とを接続したときの、前記ノイズソースの出力する前記二種類の雑音が、前記入力信号として前記電力測定器に与えられるときの、前記二種類の雑音の電力を前記電力測定器が測定したものの比と、前記第一雑音指数および前記第二雑音指数とに基づき、前記ノイズソースを前記ノイズソース側端子の各々に接続したものの過剰雑音比を導出するノイズソース過剰雑音比導出部と、を備えるように構成される。
【０００８】
上記のように構成された過剰雑音比導出装置は、送受信器における前記ノイズソースを前記ノイズソース側端子の各々に接続したものの過剰雑音比を導出するものである。ただし、送受信器は、互いに異なるレベルの二種類の雑音を出力するノイズソースと、複数のノイズソース側端子と、入力信号の電力を測定する電力測定器と、複数の測定器側端子と、を有し、前記ノイズソース側端子のうちのいずれか一つが、前記ノイズソースの出力する前記雑音を受け、前記入力信号が、前記測定器側端子のうちのいずれか一つを介して、前記電力測定器に与えられ、前記測定器側端子のうちの一つである所定測定器側端子を前記電力測定器に接続したものの雑音指数である第一雑音指数と、前記測定器側端子のうちの前記所定測定器側端子以外の端子を前記電力測定器に接続したものの雑音指数である第二雑音指数との差を測定器側端子間差分という。
【０００９】
第一雑音指数導出部は、過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記第一雑音指数を導出する。第二雑音指数導出部は、前記測定器側端子間差分と、前記第一雑音指数とに基づき、前記第二雑音指数を導出する。ノイズソース過剰雑音比導出部は、前記ノイズソース側端子の各々と前記測定器側端子の各々とを接続したときの、前記ノイズソースの出力する前記二種類の雑音が、前記入力信号として前記電力測定器に与えられるときの、前記二種類の雑音の電力を前記電力測定器が測定したものの比と、前記第一雑音指数および前記第二雑音指数とに基づき、前記ノイズソースを前記ノイズソース側端子の各々に接続したものの過剰雑音比を導出する。
【００１０】
本発明にかかる過剰雑音比導出装置は、互いに異なるレベルの二種類の雑音を出力するノイズソースと、複数のノイズソース側端子と、入力信号の電力を測定する電力測定器と、一つ以上の測定器側端子と、を有し、前記ノイズソース側端子のうちのいずれか一つが、前記ノイズソースの出力する前記雑音を受け、前記入力信号が、前記測定器側端子のうちの一つである所定測定器側端子を介して、前記電力測定器に与えられ、前記ノイズソース側端子のうちの一つである所定ノイズソース側端子を前記ノイズソースに接続したものの過剰雑音比である第一過剰雑音比と、前記ノイズソース側端子のうちの前記所定ノイズソース側端子以外の端子を前記ノイズソースに接続したものの過剰雑音比である第二過剰雑音比との差をノイズソース側端子間差分という送受信器における前記ノイズソースを前記ノイズソース側端子の各々に接続したものの過剰雑音比を導出する過剰雑音比導出装置であって、過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記所定測定器側端子を前記電力測定器に接続したものの雑音指数である第一雑音指数を導出する第一雑音指数導出部と、前記所定ノイズソース側端子と前記所定測定器側端子とを接続したときの、前記ノイズソースの出力する前記二種類の雑音が、前記入力信号として前記電力測定器に与えられるときの、前記二種類の雑音の電力を前記電力測定器が測定したものの比と、前記第一雑音指数とに基づき、前記第一過剰雑音比を導出する第一過剰雑音比導出部と、前記ノイズソース側端子間差分と、前記第一過剰雑音比とに基づき、前記第二過剰雑音比を導出する第二過剰雑音比導出部と、を備えるように構成される。
【００１１】
上記のように構成された過剰雑音比導出装置は、送受信器における前記ノイズソースを前記ノイズソース側端子の各々に接続したものの過剰雑音比を導出する。ただし、送受信器は、互いに異なるレベルの二種類の雑音を出力するノイズソースと、複数のノイズソース側端子と、入力信号の電力を測定する電力測定器と、一つ以上の測定器側端子と、を有し、前記ノイズソース側端子のうちのいずれか一つが、前記ノイズソースの出力する前記雑音を受け、前記入力信号が、前記測定器側端子のうちの一つである所定測定器側端子を介して、前記電力測定器に与えられ、前記ノイズソース側端子のうちの一つである所定ノイズソース側端子を前記ノイズソースに接続したものの過剰雑音比である第一過剰雑音比と、前記ノイズソース側端子のうちの前記所定ノイズソース側端子以外の端子を前記ノイズソースに接続したものの過剰雑音比である第二過剰雑音比との差をノイズソース側端子間差分という。
【００１２】
第一雑音指数導出部は、過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記所定測定器側端子を前記電力測定器に接続したものの雑音指数である第一雑音指数を導出する。第一過剰雑音比導出部は、前記所定ノイズソース側端子と前記所定測定器側端子とを接続したときの、前記ノイズソースの出力する前記二種類の雑音が、前記入力信号として前記電力測定器に与えられるときの、前記二種類の雑音の電力を前記電力測定器が測定したものの比と、前記第一雑音指数とに基づき、前記第一過剰雑音比を導出する。第二過剰雑音比導出部は、前記ノイズソース側端子間差分と、前記第一過剰雑音比とに基づき、前記第二過剰雑音比を導出する。
【００１３】
本発明にかかる雑音指数導出装置は、入力信号の電力を測定する電力測定器と、複数の測定器側端子と、を有し、前記入力信号が、前記測定器側端子のうちのいずれか一つを介して、前記電力測定器に与えられ、前記測定器側端子のうちの一つである所定測定器側端子を前記電力測定器に接続したものの雑音指数である第一雑音指数と、前記測定器側端子のうちの前記所定測定器側端子以外の端子を前記電力測定器に接続したものの雑音指数である第二雑音指数との差を測定器側端子間差分という受信器における前記第一雑音指数および前記第二雑音指数を導出する雑音指数導出装置であって、過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記第一雑音指数を導出する第一雑音指数導出部と、前記測定器側端子間差分と、前記第一雑音指数とに基づき、前記第二雑音指数を導出する第二雑音指数導出部と、を備えるように構成される。
【００１４】
上記のように構成された雑音指数導出装置は、受信器における前記第一雑音指数および前記第二雑音指数を導出する。ただし、受信器は、入力信号の電力を測定する電力測定器と、複数の測定器側端子と、を有し、前記入力信号が、前記測定器側端子のうちのいずれか一つを介して、前記電力測定器に与えられ、前記測定器側端子のうちの一つである所定測定器側端子を前記電力測定器に接続したものの雑音指数である第一雑音指数と、前記測定器側端子のうちの前記所定測定器側端子以外の端子を前記電力測定器に接続したものの雑音指数である第二雑音指数との差を測定器側端子間差分という。
【００１５】
第一雑音指数導出部は、過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記第一雑音指数を導出する。第二雑音指数導出部は、前記測定器側端子間差分と、前記第一雑音指数とに基づき、前記第二雑音指数を導出する。
【００１６】
本発明は、互いに異なるレベルの二種類の雑音を出力するノイズソースと、複数のノイズソース側端子と、入力信号の電力を測定する電力測定器と、複数の測定器側端子と、を有し、前記ノイズソース側端子のうちのいずれか一つが、前記ノイズソースの出力する前記雑音を受け、前記入力信号が、前記測定器側端子のうちのいずれか一つを介して、前記電力測定器に与えられ、前記測定器側端子のうちの一つである所定測定器側端子を前記電力測定器に接続したものの雑音指数である第一雑音指数と、前記測定器側端子のうちの前記所定測定器側端子以外の端子を前記電力測定器に接続したものの雑音指数である第二雑音指数との差を測定器側端子間差分という送受信器における前記ノイズソースを前記ノイズソース側端子の各々に接続したものの過剰雑音比を導出する過剰雑音比導出方法であって、過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記第一雑音指数を導出する第一雑音指数導出工程と、前記測定器側端子間差分と、前記第一雑音指数とに基づき、前記第二雑音指数を導出する第二雑音指数導出工程と、前記ノイズソース側端子の各々と前記測定器側端子の各々とを接続したときの、前記ノイズソースの出力する前記二種類の雑音が、前記入力信号として前記電力測定器に与えられるときの、前記二種類の雑音の電力を前記電力測定器が測定したものの比と、前記第一雑音指数および前記第二雑音指数とに基づき、前記ノイズソースを前記ノイズソース側端子の各々に接続したものの過剰雑音比を導出するノイズソース過剰雑音比導出工程とを備えた過剰雑音比導出方法である。
【００１７】
本発明は、互いに異なるレベルの二種類の雑音を出力するノイズソースと、複数のノイズソース側端子と、入力信号の電力を測定する電力測定器と、一つ以上の測定器側端子と、を有し、前記ノイズソース側端子のうちのいずれか一つが、前記ノイズソースの出力する前記雑音を受け、前記入力信号が、前記測定器側端子のうちの一つである所定測定器側端子を介して、前記電力測定器に与えられ、前記ノイズソース側端子のうちの一つである所定ノイズソース側端子を前記ノイズソースに接続したものの過剰雑音比である第一過剰雑音比と、前記ノイズソース側端子のうちの前記所定ノイズソース側端子以外の端子を前記ノイズソースに接続したものの過剰雑音比である第二過剰雑音比との差をノイズソース側端子間差分という送受信器における前記ノイズソースを前記ノイズソース側端子の各々に接続したものの過剰雑音比を導出する過剰雑音比導出方法であって、過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記所定測定器側端子を前記電力測定器に接続したものの雑音指数である第一雑音指数を導出する第一雑音指数導出工程と、前記所定ノイズソース側端子と前記所定測定器側端子とを接続したときの、前記ノイズソースの出力する前記二種類の雑音が、前記入力信号として前記電力測定器に与えられるときの、前記二種類の雑音の電力を前記電力測定器が測定したものの比と、前記第一雑音指数とに基づき、前記第一過剰雑音比を導出する第一過剰雑音比導出工程と、前記ノイズソース側端子間差分と、前記第一過剰雑音比とに基づき、前記第二過剰雑音比を導出する第二過剰雑音比導出工程とを備えた過剰雑音比導出方法である。
【００１８】
本発明は、入力信号の電力を測定する電力測定器と、複数の測定器側端子と、を有し、前記入力信号が、前記測定器側端子のうちのいずれか一つを介して、前記電力測定器に与えられ、前記測定器側端子のうちの一つである所定測定器側端子を前記電力測定器に接続したものの雑音指数である第一雑音指数と、前記測定器側端子のうちの前記所定測定器側端子以外の端子を前記電力測定器に接続したものの雑音指数である第二雑音指数との差を測定器側端子間差分という受信器における前記第一雑音指数および前記第二雑音指数を導出する雑音指数導出方法であって、過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記第一雑音指数を導出する第一雑音指数導出工程と、前記測定器側端子間差分と、前記第一雑音指数とに基づき、前記第二雑音指数を導出する第二雑音指数導出工程と、を備えた雑音指数導出方法である。
【００１９】
本発明は、互いに異なるレベルの二種類の雑音を出力するノイズソースと、複数のノイズソース側端子と、入力信号の電力を測定する電力測定器と、複数の測定器側端子と、を有し、前記ノイズソース側端子のうちのいずれか一つが、前記ノイズソースの出力する前記雑音を受け、前記入力信号が、前記測定器側端子のうちのいずれか一つを介して、前記電力測定器に与えられ、前記測定器側端子のうちの一つである所定測定器側端子を前記電力測定器に接続したものの雑音指数である第一雑音指数と、前記測定器側端子のうちの前記所定測定器側端子以外の端子を前記電力測定器に接続したものの雑音指数である第二雑音指数との差を測定器側端子間差分という送受信器における前記ノイズソースを前記ノイズソース側端子の各々に接続したものの過剰雑音比を導出する過剰雑音比導出処理をコンピュータに実行させるためのプログラムであって、前記過剰雑音比導出処理は、過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記第一雑音指数を導出する第一雑音指数導出工程と、前記測定器側端子間差分と、前記第一雑音指数とに基づき、前記第二雑音指数を導出する第二雑音指数導出工程と、前記ノイズソース側端子の各々と前記測定器側端子の各々とを接続したときの、前記ノイズソースの出力する前記二種類の雑音が、前記入力信号として前記電力測定器に与えられるときの、前記二種類の雑音の電力を前記電力測定器が測定したものの比と、前記第一雑音指数および前記第二雑音指数とに基づき、前記ノイズソースを前記ノイズソース側端子の各々に接続したものの過剰雑音比を導出するノイズソース過剰雑音比導出工程とを備えたプログラムである。
【００２０】
本発明は、互いに異なるレベルの二種類の雑音を出力するノイズソースと、複数のノイズソース側端子と、入力信号の電力を測定する電力測定器と、一つ以上の測定器側端子と、を有し、前記ノイズソース側端子のうちのいずれか一つが、前記ノイズソースの出力する前記雑音を受け、前記入力信号が、前記測定器側端子のうちの一つである所定測定器側端子を介して、前記電力測定器に与えられ、前記ノイズソース側端子のうちの一つである所定ノイズソース側端子を前記ノイズソースに接続したものの過剰雑音比である第一過剰雑音比と、前記ノイズソース側端子のうちの前記所定ノイズソース側端子以外の端子を前記ノイズソースに接続したものの過剰雑音比である第二過剰雑音比との差をノイズソース側端子間差分という送受信器における前記ノイズソースを前記ノイズソース側端子の各々に接続したものの過剰雑音比を導出する過剰雑音比導出処理をコンピュータに実行させるためのプログラムであって、前記過剰雑音比導出処理は、過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記所定測定器側端子を前記電力測定器に接続したものの雑音指数である第一雑音指数を導出する第一雑音指数導出工程と、前記所定ノイズソース側端子と前記所定測定器側端子とを接続したときの、前記ノイズソースの出力する前記二種類の雑音が、前記入力信号として前記電力測定器に与えられるときの、前記二種類の雑音の電力を前記電力測定器が測定したものの比と、前記第一雑音指数とに基づき、前記第一過剰雑音比を導出する第一過剰雑音比導出工程と、前記ノイズソース側端子間差分と、前記第一過剰雑音比とに基づき、前記第二過剰雑音比を導出する第二過剰雑音比導出工程とを備えたプログラムである。
【００２１】
本発明は、入力信号の電力を測定する電力測定器と、複数の測定器側端子と、を有し、前記入力信号が、前記測定器側端子のうちのいずれか一つを介して、前記電力測定器に与えられ、前記測定器側端子のうちの一つである所定測定器側端子を前記電力測定器に接続したものの雑音指数である第一雑音指数と、前記測定器側端子のうちの前記所定測定器側端子以外の端子を前記電力測定器に接続したものの雑音指数である第二雑音指数との差を測定器側端子間差分という受信器における前記第一雑音指数および前記第二雑音指数を導出する雑音指数導出処理をコンピュータに実行させるためのプログラムであって、前記雑音指数導出処理は、過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記第一雑音指数を導出する第一雑音指数導出工程と、前記測定器側端子間差分と、前記第一雑音指数とに基づき、前記第二雑音指数を導出する第二雑音指数導出工程とを備えたプログラムである。
【００２２】
本発明は、互いに異なるレベルの二種類の雑音を出力するノイズソースと、複数のノイズソース側端子と、入力信号の電力を測定する電力測定器と、複数の測定器側端子と、を有し、前記ノイズソース側端子のうちのいずれか一つが、前記ノイズソースの出力する前記雑音を受け、前記入力信号が、前記測定器側端子のうちのいずれか一つを介して、前記電力測定器に与えられ、前記測定器側端子のうちの一つである所定測定器側端子を前記電力測定器に接続したものの雑音指数である第一雑音指数と、前記測定器側端子のうちの前記所定測定器側端子以外の端子を前記電力測定器に接続したものの雑音指数である第二雑音指数との差を測定器側端子間差分という送受信器における前記ノイズソースを前記ノイズソース側端子の各々に接続したものの過剰雑音比を導出する過剰雑音比導出処理をコンピュータに実行させるためのプログラムを記録したコンピュータによって読み取り可能な記録媒体であって、前記過剰雑音比導出処理は、過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記第一雑音指数を導出する第一雑音指数導出工程と、前記測定器側端子間差分と、前記第一雑音指数とに基づき、前記第二雑音指数を導出する第二雑音指数導出工程と、
前記ノイズソース側端子の各々と前記測定器側端子の各々とを接続したときの、前記ノイズソースの出力する前記二種類の雑音が、前記入力信号として前記電力測定器に与えられるときの、前記二種類の雑音の電力を前記電力測定器が測定したものの比と、前記第一雑音指数および前記第二雑音指数とに基づき、前記ノイズソースを前記ノイズソース側端子の各々に接続したものの過剰雑音比を導出するノイズソース過剰雑音比導出工程とを備えた記録媒体である。
【００２３】
本発明は、互いに異なるレベルの二種類の雑音を出力するノイズソースと、複数のノイズソース側端子と、入力信号の電力を測定する電力測定器と、一つ以上の測定器側端子と、を有し、前記ノイズソース側端子のうちのいずれか一つが、前記ノイズソースの出力する前記雑音を受け、前記入力信号が、前記測定器側端子のうちの一つである所定測定器側端子を介して、前記電力測定器に与えられ、前記ノイズソース側端子のうちの一つである所定ノイズソース側端子を前記ノイズソースに接続したものの過剰雑音比である第一過剰雑音比と、前記ノイズソース側端子のうちの前記所定ノイズソース側端子以外の端子を前記ノイズソースに接続したものの過剰雑音比である第二過剰雑音比との差をノイズソース側端子間差分という送受信器における前記ノイズソースを前記ノイズソース側端子の各々に接続したものの過剰雑音比を導出する過剰雑音比導出処理をコンピュータに実行させるためのプログラムを記録したコンピュータによって読み取り可能な記録媒体であって、前記過剰雑音比導出処理は、過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記所定測定器側端子を前記電力測定器に接続したものの雑音指数である第一雑音指数を導出する第一雑音指数導出工程と、前記所定ノイズソース側端子と前記所定測定器側端子とを接続したときの、前記ノイズソースの出力する前記二種類の雑音が、前記入力信号として前記電力測定器に与えられるときの、前記二種類の雑音の電力を前記電力測定器が測定したものの比と、前記第一雑音指数とに基づき、前記第一過剰雑音比を導出する第一過剰雑音比導出工程と、前記ノイズソース側端子間差分と、前記第一過剰雑音比とに基づき、前記第二過剰雑音比を導出する第二過剰雑音比導出工程とを備えた記録媒体である。
【００２４】
本発明は、入力信号の電力を測定する電力測定器と、複数の測定器側端子と、を有し、前記入力信号が、前記測定器側端子のうちのいずれか一つを介して、前記電力測定器に与えられ、前記測定器側端子のうちの一つである所定測定器側端子を前記電力測定器に接続したものの雑音指数である第一雑音指数と、前記測定器側端子のうちの前記所定測定器側端子以外の端子を前記電力測定器に接続したものの雑音指数である第二雑音指数との差を測定器側端子間差分という受信器における前記第一雑音指数および前記第二雑音指数を導出する雑音指数導出処理をコンピュータに実行させるためのプログラムを記録したコンピュータによって読み取り可能な記録媒体であって、前記雑音指数導出処理は、過剰雑音比が既知である基準ノイズソースの出力する互いに異なるレベルの二種類の基準雑音が、前記入力信号として、前記所定測定器側端子を介して、前記電力測定器に与えられるときの、前記二種類の基準雑音の電力を前記電力測定器が測定したものの比と、前記基準ノイズソースの過剰雑音比とに基づき、前記第一雑音指数を導出する第一雑音指数導出工程と、前記測定器側端子間差分と、前記第一雑音指数とに基づき、前記第二雑音指数を導出する第二雑音指数導出工程とを備えた記録媒体である。
【発明を実施するための最良の形態】
【００２５】
以下、本発明の実施形態を図面を参照しながら説明する。
【００２６】
第一の実施形態
本発明の第一の実施形態は、送受信器に関する過剰雑音比を導出する過剰雑音比導出装置５０（図３、図４参照）に関するものである。
【００２７】
図１は、本発明の第一の実施形態にかかる送受信器を有するＲＦモジュール１０の構成を示すブロック図である。ＲＦモジュール１０は、第一送受信器１１、第二送受信器１２、第三送受信器１３、第四送受信器１４、レシーバ側ピン間差分記録部１６を備える。
【００２８】
第一送受信器１１は、ノイズソース側ピン（ノイズソース側端子）pin1N, pin2N, pin3N, pin4N、レシーバ側ピン（測定器側端子）pin1R, pin2R, pin3R, pin4Rを有する。第二送受信器１２、第三送受信器１３および第四送受信器１４も、同様に、ノイズソース側ピン（ノイズソース側端子）pin1N, pin2N, pin3N, pin4N、レシーバ側ピン（測定器側端子）pin1R, pin2R, pin3R, pin4Rを有する。
【００２９】
図２は、第一送受信器１１の構成を示すブロック図である。第一送受信器１１は、ノイズソース１１２、ノイズソース側接続器１１４、レシーバ（電力測定器）１１６、レシーバ側接続器１１８を備える。
【００３０】
ノイズソース１１２は、互いに異なるレベルの二種類の雑音を出力する。この二種類の雑音は、一般的には、「ホット」および「コールド」と呼ばれる。
【００３１】
ノイズソース側接続器１１４は、ノイズソース１１２を、複数のノイズソース側ピンpin1N, pin2N, pin3Nおよびpin4Nのうちのいずれか一つに接続する。ノイズソース側接続器１１４は、例えば、スイッチである。ただし、第一の実施形態においては、ノイズソース１１２が、複数のノイズソース側ピンpin1N, pin2N, pin3Nおよびpin4Nのうちのいずれか一つに接続されればよいのであり、これを満足するのであれば、ノイズソース側接続器１１４は、スイッチでなくてもよい。
【００３２】
なお、ノイズソース１１２が、複数のノイズソース側ピンpin1N, pin2N, pin3Nおよびpin4Nのうちのいずれか一つに接続された場合、接続された一つのノイズソース側ピンが、ノイズソース１１２の出力する雑音を受ける。一つのノイズソース側ピンが受けた雑音は、第一送受信器１１の外部に出力される。
【００３３】
レシーバ（電力測定器）１１６は、レシーバ１１６に入力される入力信号の電力を測定する。
【００３４】
レシーバ側接続器１１８は、レシーバ１１６を、複数のレシーバ側ピンpin1R, pin2R, pin3Rおよびpin4Rのうちのいずれか一つに接続する。レシーバ側接続器１１８は、例えば、スイッチである。ただし、第一の実施形態においては、レシーバ１１６が、複数のレシーバ側ピンpin1R, pin2R, pin3Rおよびpin4Rのうちのいずれか一つに接続されればよいのであり、これを満足するのであれば、レシーバ側接続器１１８は、スイッチでなくてもよい。
【００３５】
なお、レシーバ側接続器１１８が、複数のレシーバ側ピンpin1R, pin2R, pin3Rおよびpin4Rのうちのいずれか一つに接続された場合、接続された一つのレシーバ側ピンを介して、入力信号が、レシーバ（電力測定器）１１６に与えられる。
【００３６】
なお、第二送受信器１２、第三送受信器１３および第四送受信器１４の構成は、第一送受信器１１の構成と同様であり、説明を省略する。
【００３７】
ここで、レシーバ側ピンpin1R, pin2R,
pin3Rおよびpin4Rのうちの一つであるレシーバ側ピンpin1Rを、所定レシーバ側ピン（所定測定器側端子）pin1Rという。所定レシーバ側ピンpin1Rをレシーバ１１６に接続したものの雑音指数（Noise Figure）を第一雑音指数という。また、所定レシーバ側ピンpin1R以外のレシーバ側ピンpin2R, pin3Rおよびpin4Rをレシーバ１１６に接続したものの雑音指数（Noise Figure）を第二雑音指数という。なお、雑音指数は、周知の文言であり、入力端でのS/N比と、出力端でのS/N比との比に相当するものである。
【００３８】
さらに、第一雑音指数と第二雑音指数との差を測定器側端子間差分という。例えば、第一雑音指数と、レシーバ側ピンpin2Rをレシーバ１１６に接続したものの雑音指数（第二雑音指数）との差をΔNF[pin1-2]という。例えば、第一雑音指数と、レシーバ側ピンpin3Rをレシーバ１１６に接続したものの雑音指数（第二雑音指数）との差をΔNF[pin1-3]という。例えば、第一雑音指数と、レシーバ側ピンpin4Rをレシーバ１１６に接続したものの雑音指数（第二雑音指数）との差をΔNF[pin1-4]という。ただし、レシーバ側接続器１１８において、ノイズが発生することは無いものとする。
【００３９】
図１に戻り、レシーバ側ピン間差分記録部１６は、測定器側端子間差分ΔNF[pin1-2]、ΔNF[pin1-3]、ΔNF[pin1-4]を記録する。
【００４０】
ただし、レシーバ側ピン間差分記録部１６は、測定器側端子間差分そのものを記録するのではなく、測定器側端子間差分を求めるために必要なパラメータを記録してもよい。例えば、レシーバ側ピン間差分記録部１６は、レシーバ側ピンpin1R, pin2R, pin3Rおよびpin4RのＳパラメータを記録し、これらのＳパラメータから、測定器側端子間差分を導出するようにしてもよい。
【００４１】
図３は、本発明の第一の実施形態にかかる過剰雑音比導出装置５０の構成を示すブロック図である（第一導出用ボード２０と併用）。ただし、図３においては、過剰雑音比導出装置５０が、ＲＦモジュール１０の第一送受信器１１および第一導出用ボード２０に接続されている。なお、図３において、第一送受信器１１内のノイズソース１１２、ノイズソース側接続器１１４およびレシーバ側接続器１１８は図示省略する。なお、図３において、第二送受信器１２、第三送受信器１３および第四送受信器１４のレシーバ側ピンおよびノイズソース側ピンは図示省略する。
【００４２】
なお、過剰雑音比導出装置５０は、ノイズソース１１２をノイズソース側ピンpin1N, pin2N, pin3Nおよびpin4Nの各々に接続したものの過剰雑音比を導出する。
【００４３】
第一導出用ボード２０は、基準ノイズソース２２、基準ノイズソース側接続器２４、基準ＥＮＲ記録部２６を備える。
【００４４】
基準ノイズソース２２は、互いに異なるレベルの二種類の基準雑音を出力する。この二種類の基準雑音も、一般的には、「ホット」および「コールド」と呼ばれる。ただし、基準ノイズソース２２の過剰雑音比は既知である。なお、過剰雑音比は、「ホット」および「コールド」のレベルの差に対応するものであるが、周知の文言であり、詳細な説明を省略する。例えば、校正されているノイズソースを、基準ノイズソース２２とすることが好ましい。
【００４５】
基準ノイズソース側接続器２４は、基準ノイズソース２２を、第一送受信器１１、第二送受信器１２、第三送受信器１３および第四送受信器１４のうちのいずれか一つのレシーバ側ピンpin1Rに接続する。図３においては、第一送受信器１１のノイズソース１１２をノイズソース側ピンpin1N, pin2N, pin3Nおよびpin4Nの各々に接続したものの過剰雑音比を導出することを想定しているので、基準ノイズソース２２は、第一送受信器１１のレシーバ側ピンpin1Rに接続されている。
【００４６】
基準ノイズソース側接続器２４は、例えば、スイッチである。ただし、第一の実施形態においては、基準ノイズソース２２が、第一送受信器１１、第二送受信器１２、第三送受信器１３および第四送受信器１４のうちのいずれか一つのレシーバ側ピンpin1Rに接続されればよいのであり、これを満足するのであれば、基準ノイズソース側接続器２４は、スイッチでなくてもよい。
【００４７】
ここで、第一送受信器１１のレシーバ１１６に、レシーバ側ピンpin1Rが、レシーバ側接続器１１８により接続されているものとする。よって、基準ノイズソース２２の出力する二種類の基準雑音が、入力信号として、所定レシーバ側ピン（所定測定器側端子）pin1Rを介して、レシーバ１１６に与えられる。レシーバ１１６は、二種類の基準雑音の電力を測定し、それらの比Ｙ（ホットの基準雑音の電力の測定値／コールドの基準雑音の電力の測定値）を出力する。
【００４８】
基準ＥＮＲ記録部２６は、基準ノイズソース２２の既知の過剰雑音比を記録する。ただし、基準ノイズソース２２の既知の過剰雑音比は、基準ノイズソース２２を、第一送受信器１１、第二送受信器１２、第三送受信器１３および第四送受信器１４のうちのいずれに接続するかによって異なる場合がある。よって、基準ノイズソース２２の既知の過剰雑音比は、第一送受信器１１、第二送受信器１２、第三送受信器１３および第四送受信器１４に対応づけて記録されている。
【００４９】
過剰雑音比導出装置５０は、第一ＮＦ導出部（第一雑音指数導出部）５２、第二ＮＦ導出部（第二雑音指数導出部）５４、ＮＦ記録部５６、ノイズソースＥＮＲ導出部（ノイズソース過剰雑音比導出部）５８を備える。
【００５０】
第一ＮＦ導出部（第一雑音指数導出部）５２は、レシーバ１１６の出力する比Ｙを受ける。第一ＮＦ導出部５２は、さらに、基準ＥＮＲ記録部２６から、基準ノイズソース２２の既知の過剰雑音比を読み出す。第一ＮＦ導出部５２は、さらに、レシーバ１１６の出力する比Ｙと、基準ノイズソース２２の既知の過剰雑音比とに基づき、第一雑音指数を導出する。第一雑音指数をNF[pin1R]、基準ノイズソース２２の既知の過剰雑音比をREF_ENRとすると、第一ＮＦ導出部５２は、NF[pin1R]を以下の式（１）のようにして導出する。
【００５１】
NF[pin1R] = REF_ENR−10LOG(Y−1)    （１）
第二ＮＦ導出部（第二雑音指数導出部）５４は、レシーバ側ピン間差分記録部１６から測定器側端子間差分ΔNF[pin1-2]、ΔNF[pin1-3]、ΔNF[pin1-4]を読み出す。第二ＮＦ導出部５４は、さらに、第一ＮＦ導出部５２から第一雑音指数NF[pin1R]を受ける。第二ＮＦ導出部（第二雑音指数導出部）５４は、さらに、測定器側端子間差分と、第一雑音指数とに基づき、第二雑音指数を導出する。
【００５２】
ここで、第二雑音指数のうち、レシーバ側ピンpin2Rをレシーバ１１６に接続したものの雑音指数をNF[pin2R]、レシーバ側ピンpin3Rをレシーバ１１６に接続したものの雑音指数をNF[pin3R]、レシーバ側ピンpin4Rをレシーバ１１６に接続したものの雑音指数をNF[pin4R]という。すると、第二ＮＦ導出部５４は、第二雑音指数を以下の式（２）、（３）、（４）のようにして導出する。
【００５３】
NF[pin2R] = NF[pin1R]−ΔNF[pin1-2]    （２）
NF[pin3R] = NF[pin1R]−ΔNF[pin1-3]    （３）
NF[pin4R] = NF[pin1R]−ΔNF[pin1-4]    （４）
ＮＦ記録部５６は、第一ＮＦ導出部５２から第一雑音指数を受け、第二ＮＦ導出部５４から第二雑音指数を受けて、第一雑音指数NF[pin1R]および第二雑音指数NF[pin2R]、NF[pin3R]、NF[pin4R]を記録する。
【００５４】
図４は、本発明の第一の実施形態にかかる過剰雑音比導出装置５０の構成を示すブロック図である（第二導出用ボード３０と併用）。ただし、図４においては、過剰雑音比導出装置５０が、ＲＦモジュール１０の第一送受信器１１および第二導出用ボード３０に接続されている。なお、図４において、第一送受信器１１内のノイズソース側接続器１１４およびレシーバ側接続器１１８は図示省略する。なお、図４において、第二送受信器１２、第三送受信器１３および第四送受信器１４のレシーバ側ピンおよびノイズソース側ピンは図示省略する。
【００５５】
第二導出用ボード３０は、ノイズソース側ピン（ノイズソース側端子）pin1N, pin2N, pin3N, pin4Nの各々と、レシーバ側ピン（測定器側端子）pin1R, pin2R, pin3R, pin4Rの各々とを接続する。具体的には、接続線３０ａが、ノイズソース側ピンpin1Nとレシーバ側ピンpin1Rとを接続する。接続線３０ｂが、ノイズソース側ピンpin2Nとレシーバ側ピンpin2Rとを接続する。接続線３０ｃが、ノイズソース側ピンpin3Nとレシーバ側ピンpin3Rとを接続する。接続線３０ｄが、ノイズソース側ピンpin4Nとレシーバ側ピンpin4Rとを接続する。
【００５６】
ここで、レシーバ側接続器１１８が、第一送受信器１１のレシーバ１１６に、レシーバ側ピンpin1Rを接続する。さらに、ノイズソース側接続器１１４が、第一送受信器１１のノイズソース１１２に、ノイズソース側ピンpin1Nを接続する。
【００５７】
すると、ノイズソース１１２の出力する二種類の雑音が、入力信号として、レシーバ側ピンpin1Rを介して、レシーバ１１６に与えられる。レシーバ１１６は、二種類の雑音の電力を測定し、それらの比Ｙ[pin1R]（ホットの雑音の電力の測定値／コールドの雑音の電力の測定値）を出力する。
【００５８】
次に、レシーバ側接続器１１８が、第一送受信器１１のレシーバ１１６に、レシーバ側ピンpin2Rを接続する。さらに、ノイズソース側接続器１１４が、第一送受信器１１のノイズソース１１２に、ノイズソース側ピンpin2Nを接続する。
【００５９】
すると、ノイズソース１１２の出力する二種類の雑音が、入力信号として、レシーバ側ピンpin2Rを介して、レシーバ１１６に与えられる。レシーバ１１６は、二種類の雑音の電力を測定し、それらの比Ｙ[pin2R]（ホットの雑音の電力の測定値／コールドの雑音の電力の測定値）を出力する。
【００６０】
次に、レシーバ側接続器１１８が、第一送受信器１１のレシーバ１１６に、レシーバ側ピンpin3Rを接続する。さらに、ノイズソース側接続器１１４が、第一送受信器１１のノイズソース１１２に、ノイズソース側ピンpin3Nを接続する。
【００６１】
すると、ノイズソース１１２の出力する二種類の雑音が、入力信号として、レシーバ側ピンpin3Rを介して、レシーバ１１６に与えられる。レシーバ１１６は、二種類の雑音の電力を測定し、それらの比Ｙ[pin3R]（ホットの雑音の電力の測定値／コールドの雑音の電力の測定値）を出力する。
【００６２】
最後に、レシーバ側接続器１１８が、第一送受信器１１のレシーバ１１６に、レシーバ側ピンpin4Rを接続する。さらに、ノイズソース側接続器１１４が、第一送受信器１１のノイズソース１１２に、ノイズソース側ピンpin4Nを接続する。
【００６３】
すると、ノイズソース１１２の出力する二種類の雑音が、入力信号として、レシーバ側ピンpin4Rを介して、レシーバ１１６に与えられる。レシーバ１１６は、二種類の雑音の電力を測定し、それらの比Ｙ[pin4R]（ホットの雑音の電力の測定値／コールドの雑音の電力の測定値）を出力する。
【００６４】
ノイズソースＥＮＲ導出部（ノイズソース過剰雑音比導出部）５８は、レシーバ１１６からＹ[pin1R]、Ｙ[pin2R]、Ｙ[pin3R]、Ｙ[pin4R]を受ける。ノイズソースＥＮＲ導出部５８は、さらに、ＮＦ記録部５６から、第一雑音指数NF[pin1R]および第二雑音指数NF[pin2R]、NF[pin3R]、NF[pin4R]を読み出す。ノイズソースＥＮＲ導出部５８は、さらに、Ｙ[pin1R]、Ｙ[pin2R]、Ｙ[pin3R]、Ｙ[pin4R]、第一雑音指数NF[pin1R]および第二雑音指数NF[pin2R]、NF[pin3R]、NF[pin4R]に基づき、ノイズソース１１２をノイズソース側ピンpin1N, pin2N, pin3N, pin4Nの各々に接続したものの過剰雑音比ENR[pin1N], ENR[pin2N], ENR[pin3N], ENR[pin4N]を以下の式（５）〜（８）のようにして導出する。
【００６５】
ENR[pin1N] = NF[pin1R]＋10LOG(Y[pin1R]−1)    （５）
ENR[pin2N] = NF[pin2R]＋10LOG(Y[pin2R]−1)    （６）
ENR[pin3N] = NF[pin3R]＋10LOG(Y[pin3R]−1)    （７）
ENR[pin4N] = NF[pin4R]＋10LOG(Y[pin4R]−1)    （８）
次に、第一の実施形態の動作を説明する。
【００６６】
まず、図３を参照して、過剰雑音比導出装置５０を、ＲＦモジュール１０の第一送受信器１１および第一導出用ボード２０に接続する。
【００６７】
基準ノイズソース２２の出力する二種類の基準雑音が、入力信号として、所定レシーバ側ピン（所定測定器側端子）pin1Rを介して、レシーバ１１６に与えられる。レシーバ１１６は、二種類の基準雑音の電力を測定し、それらの比Ｙ（ホットの基準雑音の電力の測定値／コールドの基準雑音の電力の測定値）を出力する。
【００６８】
第一ＮＦ導出部（第一雑音指数導出部）５２は、レシーバ１１６の出力する比Ｙを受ける。第一ＮＦ導出部５２は、さらに、基準ＥＮＲ記録部２６から、基準ノイズソース２２の既知の過剰雑音比REF_ENRを読み出す。第一ＮＦ導出部５２は、上記の式（１）のようにして、第一雑音指数NF[pin1R]を導出する。
【００６９】
第二ＮＦ導出部（第二雑音指数導出部）５４は、レシーバ側ピン間差分記録部１６から、測定器側端子間差分ΔNF[pin1-2]、ΔNF[pin1-3]、ΔNF[pin1-4]を読み出す。第二ＮＦ導出部５４は、さらに、第一ＮＦ導出部５２から第一雑音指数NF[pin1R]を受ける。第二ＮＦ導出部５４は、上記の式（２）、（３）、（４）のようにして、第二雑音指数NF[pin2R]、NF[pin3R]、NF[pin4R]を導出する。
【００７０】
ＮＦ記録部５６は、第一ＮＦ導出部５２から第一雑音指数NF[pin1R]を受け、第二ＮＦ導出部５４から第二雑音指数NF[pin2R]、NF[pin3R]、NF[pin4R]を受けて、第一雑音指数NF[pin1R]および第二雑音指数NF[pin2R]、NF[pin3R]、NF[pin4R]を記録する。
【００７１】
次に、図４を参照して、過剰雑音比導出装置５０を、ＲＦモジュール１０の第一送受信器１１および第二導出用ボード３０に接続する。
【００７２】
レシーバ側接続器１１８（ノイズソース側接続器１１４）が、第一送受信器１１のレシーバ１１６（ノイズソース１１２）に、レシーバ側ピンpin1R、pin2R、pin3R、pin4R（ノイズソース側ピンpin1N、pin2N、pin3N、pin4N）を順に接続していき、レシーバ１１６がＹ[pin1R]、Ｙ[pin2R]、Ｙ[pin3R]、Ｙ[pin4R]を出力する。
【００７３】
ノイズソースＥＮＲ導出部（ノイズソース過剰雑音比導出部）５８は、レシーバ１１６からＹ[pin1R]、Ｙ[pin2R]、Ｙ[pin3R]、Ｙ[pin4R]を受ける。ノイズソースＥＮＲ導出部５８は、さらに、ＮＦ記録部５６から、第一雑音指数NF[pin1R]および第二雑音指数NF[pin2R]、NF[pin3R]、NF[pin4R]を読み出す。ノイズソースＥＮＲ導出部５８は、上記の式（５）〜（８）のようにして、過剰雑音比ENR[pin1N], ENR[pin2N], ENR[pin3N], ENR[pin4N]を導出する。
【００７４】
なお、第二送受信器１２、第三送受信器１３および第四送受信器１４のノイズソース１１２の過剰雑音比を導出する際の動作は、第一送受信器１１のノイズソース１１２の過剰雑音比を導出する際の動作と同様であるので、説明を省略する。
【００７５】
第一の実施形態によれば、第一雑音指数（所定レシーバ側ピンpin1Rをレシーバ１１６に接続したものの雑音指数）を、過剰雑音比が既知の基準ノイズソース２２（例えば、校正されているノイズソース）を用いることで、正確に測定することができる。
【００７６】
しかも、第二雑音指数（所定レシーバ側ピンpin1R以外のレシーバ側ピンpin2R, pin3Rおよびpin4Rをレシーバ１１６に接続したものの雑音指数）を、レシーバ側ピンpin2R, pin3Rおよびpin4Rに第一導出用ボード２０を接続することなく導出できるので、ＲＦモジュール１０と第一導出用ボード２０との接続の労力を軽減できる。
【００７７】
さらに、第一雑音指数および第二雑音指数に基づき、ノイズソース１１２をノイズソース側ピンpin1N, pin2N, pin3N, pin4Nの各々に接続したものの過剰雑音比を導出できる。こられの過剰雑音比を導出する際に、レシーバ側ピンpin2R, pin3Rおよびpin4Rに第一導出用ボード２０を接続する必要が無いので、ＲＦモジュール１０と第一導出用ボード２０との接続の労力を軽減できる。
【００７８】
第二の実施形態
本発明の第二の実施形態は、送受信器に関する過剰雑音比を導出する過剰雑音比導出装置５０（図６、図７参照）に関するものである。
【００７９】
図５は、本発明の第二の実施形態にかかる送受信器を有するＲＦモジュール１０の構成を示すブロック図である。ＲＦモジュール１０は、第一送受信器１１、第二送受信器１２、第三送受信器１３、第四送受信器１４、ノイズソース側ピン間差分記録部１８を備える。
【００８０】
第一送受信器１１、第二送受信器１２、第三送受信器１３、第四送受信器１４は、第一の実施形態と同様であり、説明を省略する。
【００８１】
ここで、ノイズソース側ピンpin1N, pin2N,
pin3Nおよびpin4Nのうちの一つであるノイズソース側ピンpin1Nを、所定ノイズソース側ピン（所定ノイズソース側端子）pin1Nという。所定ノイズソース側ピンpin1Nをノイズソース１１２に接続したものの過剰雑音比（ENR）を第一過剰雑音比という。また、所定ノイズソース側ピンpin1N以外のノイズソース側ピンpin2N, pin3Nおよびpin4Nをノイズソース１１２に接続したものの過剰雑音比（ENR）を第二過剰雑音比という。
【００８２】
さらに、第一過剰雑音比と第二過剰雑音比との差をノイズソース側端子間差分という。例えば、第一過剰雑音比と、ノイズソース側ピンpin2Nをノイズソース１１２に接続したものの過剰雑音比（第二過剰雑音比）との差をΔENR[pin1-2]という。例えば、第一過剰雑音比と、ノイズソース側ピンpin3Nをノイズソース１１２に接続したものの過剰雑音比（第二過剰雑音比）との差をΔENR[pin1-3]という。例えば、第一過剰雑音比と、ノイズソース側ピンpin4Nをノイズソース１１２に接続したものの過剰雑音比（第二過剰雑音比）との差をΔENR[pin1-4]という。
【００８３】
ノイズソース側ピン間差分記録部１８は、ノイズソース側端子間差分ΔENR[pin1-2]、ΔENR[pin1-3]、ΔENR[pin1-4]を記録する。
【００８４】
ただし、ノイズソース側ピン間差分記録部１８は、ノイズソース側ピン間差分そのものを記録するのではなく、ノイズソース側ピン間差分を求めるために必要なパラメータを記録してもよい。例えば、ノイズソース側ピン間差分記録部１８は、ノイズソース側ピンpin1N, pin2N, pin3Nおよびpin4NのＳパラメータを記録し、これらのＳパラメータから、ノイズソース側ピン間差分を導出するようにしてもよい。
【００８５】
図６は、本発明の第二の実施形態にかかる過剰雑音比導出装置５０の構成を示すブロック図である（第一導出用ボード２０と併用）。ただし、図６においては、過剰雑音比導出装置５０が、ＲＦモジュール１０の第一送受信器１１および第一導出用ボード２０に接続されている。なお、図６において、第一送受信器１１内のノイズソース１１２、ノイズソース側接続器１１４およびレシーバ側接続器１１８は図示省略する。なお、図６において、第二送受信器１２、第三送受信器１３および第四送受信器１４のレシーバ側ピンおよびノイズソース側ピンは図示省略する。
【００８６】
なお、過剰雑音比導出装置５０は、ノイズソース１１２をノイズソース側ピンpin1N, pin2N, pin3Nおよびpin4Nの各々に接続したものの過剰雑音比を導出する。
【００８７】
第一導出用ボード２０は、基準ノイズソース２２、基準ノイズソース側接続器２４、基準ＥＮＲ記録部２６を備える。基準ノイズソース２２、基準ノイズソース側接続器２４、基準ＥＮＲ記録部２６は、第一の実施形態と同様であり、説明を省略する。
【００８８】
過剰雑音比導出装置５０は、第一ＮＦ導出部（第一雑音指数導出部）５２、第一ＮＦ記録部５５、第一ＥＮＲ導出部（第一過剰雑音比導出部）５７、第二ＥＮＲ導出部（第二過剰雑音比導出部）５９を備える。
【００８９】
第一ＮＦ導出部（第一雑音指数導出部）５２は、第一の実施形態と同様であり、説明を省略する。ただし、第一の実施形態と同様に、レシーバ側ピンpin1R, pin2R, pin3Rおよびpin4Rのうちの一つであるレシーバ側ピンpin1Rを、所定レシーバ側ピン（所定測定器側端子）pin1Rという。
【００９０】
第一ＮＦ記録部５５は、第一ＮＦ導出部５２から第一雑音指数を受けて、第一雑音指数を記録する。
【００９１】
図７は、本発明の第二の実施形態にかかる過剰雑音比導出装置５０の構成を示すブロック図である（第二導出用ボード３０と併用）。ただし、図７においては、過剰雑音比導出装置５０が、ＲＦモジュール１０の第一送受信器１１および第二導出用ボード３０に接続されている。なお、図７において、第一送受信器１１内のノイズソース側接続器１１４およびレシーバ側接続器１１８は図示省略する。なお、図７において、第二送受信器１２、第三送受信器１３および第四送受信器１４のレシーバ側ピンおよびノイズソース側ピンは図示省略する。
【００９２】
第二導出用ボード３０は、所定レシーバ側ピンpin1Rと所定ノイズソース側ピンpin1Nとを接続する。具体的には、接続線３０ａが、所定ノイズソース側ピンpin1Nと所定レシーバ側ピンpin1Rとを接続する。
【００９３】
ここで、レシーバ側接続器１１８が、第一送受信器１１のレシーバ１１６に、所定レシーバ側ピンpin1Rを接続する。さらに、ノイズソース側接続器１１４が、第一送受信器１１のノイズソース１１２に、所定ノイズソース側ピンpin1Nを接続する。
【００９４】
すると、ノイズソース１１２の出力する二種類の雑音が、入力信号として、レシーバ側ピンpin1Rを介して、レシーバ１１６に与えられる。レシーバ１１６は、二種類の雑音の電力を測定し、それらの比Ｙ[pin1R]（ホットの雑音の電力の測定値／コールドの雑音の電力の測定値）を出力する。
【００９５】
第一ＥＮＲ導出部（第一過剰雑音比導出部）５７は、レシーバ１１６からＹ[pin1R]を受ける。さらに、第一ＥＮＲ導出部５７は、第一雑音指数NF[pin1R]を、第一ＮＦ記録部５５から受ける。第一ＥＮＲ導出部５７は、Ｙ[pin1R]と、第一雑音指数NF[pin1R]とに基づき、第一過剰雑音比ENR[pin1N]を、以下の式（９）のようにして導出する。
【００９６】
ENR[pin1N] = NF[pin1R]＋10LOG(Y[pin1R]−1)    （９）
第二ＥＮＲ導出部（第二過剰雑音比導出部）５９は、ノイズソース側ピン間差分記録部１８からノイズソース側端子間差分ΔENR[pin1-2]、ΔENR[pin1-3]、ΔENR[pin1-4]を読み出す。第二ＥＮＲ導出部５９は、さらに、第一ＥＮＲ導出部５７から第一過剰雑音比ENR[pin1N]を受ける。第二ＥＮＲ導出部５９は、さらに、ノイズソース側端子間差分と第一過剰雑音比とに基づき、第二過剰雑音比を導出する。
【００９７】
ここで、第二過剰雑音比のうち、ノイズソース側ピンpin2Nをノイズソース１１２に接続したものの過剰雑音比をENR[pin2N]、ノイズソース側ピンpin3Nをノイズソース１１２に接続したものの過剰雑音比をENR[pin3N]、ノイズソース側ピンpin4Nをノイズソース１１２に接続したものの過剰雑音比をENR[pin4N]という。すると、第二ＥＮＲ導出部５９は、第二過剰雑音比を以下の式（１０）、（１１）、（１２）のようにして導出する。
【００９８】
ENR[pin2N] = ENR[pin1N]−ΔENR[pin1-2]    （１０）
ENR[pin3N] = ENR[pin1N]−ΔENR[pin1-3]    （１１）
ENR[pin4N] = ENR[pin1N]−ΔENR[pin1-4]    （１２）
次に、第二の実施形態の動作を説明する。
【００９９】
まず、図６を参照して、過剰雑音比導出装置５０を、ＲＦモジュール１０の第一送受信器１１および第一導出用ボード２０に接続する。
【０１００】
基準ノイズソース２２の出力する二種類の基準雑音が、入力信号として、所定レシーバ側ピン（所定測定器側端子）pin1Rを介して、レシーバ１１６に与えられる。レシーバ１１６は、二種類の基準雑音の電力を測定し、それらの比Ｙ（ホットの基準雑音の電力の測定値／コールドの基準雑音の電力の測定値）を出力する。
【０１０１】
第一ＮＦ導出部（第一雑音指数導出部）５２は、レシーバ１１６の出力する比Ｙを受ける。第一ＮＦ導出部５２は、さらに、基準ＥＮＲ記録部２６から、基準ノイズソース２２の既知の過剰雑音比REF_ENRを読み出す。第一ＮＦ導出部５２は、上記の式（１）のようにして、第一雑音指数NF[pin1R]を導出する。第一雑音指数NF[pin1R]は、第一ＮＦ記録部５５に記録される。
【０１０２】
次に、図７を参照して、過剰雑音比導出装置５０を、ＲＦモジュール１０の第一送受信器１１および第二導出用ボード３０に接続する。
【０１０３】
レシーバ側接続器１１８（ノイズソース側接続器１１４）が、第一送受信器１１のレシーバ１１６（ノイズソース１１２）に、所定レシーバ側ピンpin1R（所定ノイズソース側ピンpin1N）を接続し、レシーバ１１６がＹ[pin1R]を出力する。
【０１０４】
第一ＥＮＲ導出部（第一過剰雑音比導出部）５７は、レシーバ１１６からＹ[pin1R]を受ける。第一ＥＮＲ導出部５７は、さらに、第一ＮＦ記録部５５から、第一雑音指数NF[pin1R]を読み出す。第一ＥＮＲ導出部５７は、上記の式（９）のようにして、第一過剰雑音比ENR[pin1N]を導出する。
【０１０５】
第二ＥＮＲ導出部（第二過剰雑音比導出部）５９は、ノイズソース側ピン間差分記録部１８からノイズソース側端子間差分ΔENR[pin1-2]、ΔENR[pin1-3]、ΔENR[pin1-4]を読み出す。第二ＥＮＲ導出部５９は、さらに、第一ＥＮＲ導出部５７から、第一過剰雑音比ENR[pin1N]を読み出す。第二ＥＮＲ導出部５９は、上記の式（１０）、（１１）、（１２）のようにして、第二過剰雑音比ENR[pin2N], ENR[pin3N], ENR[pin4N]を導出する。
【０１０６】
なお、第二送受信器１２、第三送受信器１３および第四送受信器１４のノイズソース１１２の過剰雑音比を導出する際の動作は、第一送受信器１１のノイズソース１１２の過剰雑音比を導出する際の動作と同様であるので、説明を省略する。
【０１０７】
第二の実施形態によれば、第一雑音指数（所定レシーバ側ピンpin1Rをレシーバ１１６に接続したものの雑音指数）を、過剰雑音比が既知の基準ノイズソース２２（例えば、校正されているノイズソース）を用いることで、正確に測定することができる。
【０１０８】
さらに、第一雑音指数に基づき、ノイズソース１１２をノイズソース側ピンpin1N, pin2N, pin3N, pin4Nの各々に接続したものの過剰雑音比を導出できる。こられの過剰雑音比を導出する際に、レシーバ側ピンpin2R, pin3Rおよびpin4Rに第一導出用ボード２０を接続する必要が無く、しかも、ノイズソース側ピンpin2N, pin3N,
pin4Nに第二導出用ボード３０を接続する必要が無いので、ＲＦモジュール１０を、第一導出用ボード２０および第二導出用ボード３０に接続する労力を軽減できる。
【０１０９】
第三の実施形態
本発明の第三の実施形態は、送受信器（受信器であるといえる）に関する雑音指数を導出する雑音指数導出装置６０（図８参照）に関するものである。
【０１１０】
図８は、本発明の第三の実施形態にかかる雑音指数導出装置６０の構成を示すブロック図である。ただし、図８においては、雑音指数導出装置６０が、ＲＦモジュール１０の第一送受信器１１および第一導出用ボード２０に接続されている。なお、図８において、第一送受信器１１内のノイズソース１１２、ノイズソース側接続器１１４およびレシーバ側接続器１１８は図示省略する。なお、図８において、第二送受信器１２、第三送受信器１３および第四送受信器１４のレシーバ側ピンおよびノイズソース側ピンは図示省略する。
【０１１１】
ＲＦモジュール１０および第一導出用ボード２０は、第一の実施形態と同様であり、説明を省略する。
【０１１２】
雑音指数導出装置６０は、第一ＮＦ導出部（第一雑音指数導出部）６２、第二ＮＦ導出部（第二雑音指数導出部）６４、ＮＦ記録部６６を備える。
【０１１３】
なお、雑音指数導出装置６０は、レシーバ１１６をレシーバ側ピンpin1R, pin2R, pin3Rおよびpin4Rの各々に接続したものの雑音指数を導出する。
【０１１４】
第一ＮＦ導出部（第一雑音指数導出部）６２は、第一の実施形態における第一ＮＦ導出部（第一雑音指数導出部）５２と同様であり、説明を省略する。
【０１１５】
第二ＮＦ導出部（第二雑音指数導出部）６４は、第一の実施形態における第二ＮＦ導出部（第二雑音指数導出部）５４と同様であり、説明を省略する。
【０１１６】
ＮＦ記録部６６は、第一の実施形態におけるＮＦ記録部５６と同様であり、説明を省略する。
【０１１７】
次に、第三の実施形態の動作を説明する。
【０１１８】
まず、図８を参照して、雑音指数導出装置６０を、ＲＦモジュール１０の第一送受信器１１および第一導出用ボード２０に接続する。
【０１１９】
基準ノイズソース２２の出力する二種類の基準雑音が、入力信号として、所定レシーバ側ピン（所定測定器側端子）pin1Rを介して、レシーバ１１６に与えられる。レシーバ１１６は、二種類の基準雑音の電力を測定し、それらの比Ｙ（ホットの基準雑音の電力の測定値／コールドの基準雑音の電力の測定値）を出力する。
【０１２０】
第一ＮＦ導出部（第一雑音指数導出部）６２は、レシーバ１１６の出力する比Ｙを受ける。第一ＮＦ導出部６２は、さらに、基準ＥＮＲ記録部２６から、基準ノイズソース２２の既知の過剰雑音比REF_ENRを読み出す。第一ＮＦ導出部６２は、上記の式（１）のようにして、第一雑音指数NF[pin1R]を導出する。
【０１２１】
第二ＮＦ導出部（第二雑音指数導出部）６４は、レシーバ側ピン間差分記録部１６から、測定器側端子間差分ΔNF[pin1-2]、ΔNF[pin1-3]、ΔNF[pin1-4]を読み出す。第二ＮＦ導出部６４は、さらに、第一ＮＦ導出部６２から第一雑音指数NF[pin1R]を受ける。第二ＮＦ導出部６４は、上記の式（２）、（３）、（４）のようにして、第二雑音指数NF[pin2R]、NF[pin3R]、NF[pin4R]を導出する。
【０１２２】
ＮＦ記録部６６は、第一ＮＦ導出部６２から第一雑音指数NF[pin1R]を受け、第二ＮＦ導出部６４から第二雑音指数NF[pin2R]、NF[pin3R]、NF[pin4R]を受けて、第一雑音指数NF[pin1R]および第二雑音指数NF[pin2R]、NF[pin3R]、NF[pin4R]を記録する。
【０１２３】
第三の実施形態によれば、第一雑音指数（所定レシーバ側ピンpin1Rをレシーバ１１６に接続したものの雑音指数）を、過剰雑音比が既知の基準ノイズソース２２（例えば、校正されているノイズソース）を用いることで、正確に測定することができる。
【０１２４】
しかも、第二雑音指数（所定レシーバ側ピンpin1R以外のレシーバ側ピンpin2R, pin3Rおよびpin4Rをレシーバ１１６に接続したものの雑音指数）を、レシーバ側ピンpin2R, pin3Rおよびpin4Rに第一導出用ボード２０を接続することなく導出できるので、ＲＦモジュール１０と第一導出用ボード２０との接続の労力を軽減できる。
【０１２５】
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータに、上記の各部分（例えば、過剰雑音比導出装置５０および雑音指数導出装置６０の各部分）を実現するプログラムを記録したメディアを読み取らせて、ハードディスクにインストールする。このような方法でも、上記の機能を実現できる。
【図面の簡単な説明】
【０１２６】
【図１】本発明の第一の実施形態にかかる送受信器を有するＲＦモジュール１０の構成を示すブロック図である。
【図２】第一送受信器１１の構成を示すブロック図である。
【図３】本発明の第一の実施形態にかかる過剰雑音比導出装置５０の構成を示すブロック図である（第一導出用ボード２０と併用）。
【図４】本発明の第一の実施形態にかかる過剰雑音比導出装置５０の構成を示すブロック図である（第二導出用ボード３０と併用）。
【図５】本発明の第二の実施形態にかかる送受信器を有するＲＦモジュール１０の構成を示すブロック図である。
【図６】本発明の第二の実施形態にかかる過剰雑音比導出装置５０の構成を示すブロック図である（第一導出用ボード２０と併用）。
【図７】本発明の第二の実施形態にかかる過剰雑音比導出装置５０の構成を示すブロック図である（第二導出用ボード３０と併用）。
【図８】本発明の第三の実施形態にかかる雑音指数導出装置６０の構成を示すブロック図である。
【符号の説明】
【０１２７】
１０  ＲＦモジュール
１１  第一送受信器
pin1N, pin2N, pin3N, pin4N  ノイズソース側ピン（ノイズソース側端子）
pin1N  所定ノイズソース側ピン（所定ノイズソース側端子）
pin1R, pin2R, pin3R, pin4R  レシーバ側ピン（測定器側端子）
pin1R  所定レシーバ側ピン（所定測定器側端子）
１１２  ノイズソース
１１４  ノイズソース側接続器
１１６  レシーバ（電力測定器）
１１８  レシーバ側接続器
NF[pin1R]  第一雑音指数
NF[pin2R]、NF[pin3R]、NF[pin4R]  第二雑音指数
ΔNF[pin1-2]、ΔNF[pin1-3]、ΔNF[pin1-4]  測定器側端子間差分
ENR[pin1N]  第一過剰雑音比
ENR[pin2N]、ENR[pin3N]、ENR[pin4N]  第二過剰雑音比
ΔENR[pin1-2]、ΔENR[pin1-3]、ΔENR[pin1-4]  ノイズソース側端子間差分
１２  第二送受信器
１３  第三送受信器
１４  第四送受信器
１６  レシーバ側ピン間差分記録部
１８  ノイズソース側ピン間差分記録部
２０  第一導出用ボード
２２  基準ノイズソース
２４  基準ノイズソース側接続器
２６  基準ＥＮＲ記録部
３０  第二導出用ボード
３０ａ、３０ｂ、３０ｃ、３０ｄ  接続線
５０  過剰雑音比導出装置
５２  第一ＮＦ導出部（第一雑音指数導出部）
５４  第二ＮＦ導出部（第二雑音指数導出部）
５６  ＮＦ記録部
５８  ノイズソースＥＮＲ導出部（ノイズソース過剰雑音比導出部）
５５  第一ＮＦ記録部
５７  第一ＥＮＲ導出部（第一過剰雑音比導出部）
５９  第二ＥＮＲ導出部（第二過剰雑音比導出部）
６０  雑音指数導出装置
６２  第一ＮＦ導出部（第一雑音指数導出部）
６４  第二ＮＦ導出部（第二雑音指数導出部）
６６  ＮＦ記録部
【図１】
0005153456.tif 000002
【図２】
0005153456.tif 000003
【図３】
0005153456.tif 000004
【図４】
0005153456.tif 000005
【図５】
0005153456.tif 000006
【図６】
0005153456.tif 000007
【図７】
0005153456.tif 000008
【図８】
0005153456.tif 000009